(57)【特許請求の範囲】
【請求項１】
第１光学系でフォーカスサーチしつつ光記録媒体の表面反射信号ＳSと記録面反射信号ＳRを検出する第1段階と、
前記ＳSのハイピークとローピーク間の時間DTSをカウントする第２段階と、
前記ＳRのハイピークと前記ＳSのハイピーク間の時間DTRをカウントする第３段階と、
前記DTSとDTRに対する次の関係式を満たすDTを演算して基準時間Tと比較する第４段階と、
【数１】
0003979962.tif 000006
ここで、ａ＝１，かつｂ＝１／２であるか、またはａ＝２，かつｂ＝１であるかのいずれかであり、
前記DTがTより大きければ第１光学系を駆動し、前記DTがTより大きくなければ第２光学系を駆動する第５段階と、を含み、
前記第１光学系のDTRが前記第２光学系のDTRより大きいことを特徴とする光記録媒体の種類判別方法。
【請求項２】
前記第１光学系はCD光学系であることを特徴とする請求項１に記載の光記録媒体の種類判別方法。
【請求項３】
前記第２光学系はDVD光学系であることを特徴とする請求項２に記載の光記録媒体の種類判別方法。
【請求項４】
光記録媒体が挿入されれば第１光学系でフォーカスサーチを行いつつ表面記録反射信号ＳSと記録面反射信号ＳRを検出する信号検出部と、
前記ＳSのハイピークとローピーク間の時間DTSと前記ＳRのハイピークと前記ＳSのハイピーク間の時間DTRを次の関係式によって演算してDTを算出する演算部と、
【数２】
0003979962.tif 000007
ここで、ａ＝１，かつｂ＝１／２であるか、またはａ＝２，かつｂ＝１であるかのいずれかであり、
前記演算部のDTを入力されて貯蔵されていた基準値Tと比較して光記録媒体の種類を判別して前記第１光学系または第２光学系を駆動する信号を出力する光記録媒体の種類判別部と、を備え、
前記第１光学系のDTRが前記第２光学系のDTRより大きいことを特徴とする光記録媒体の種類判別装置。
【請求項５】
前記光記録媒体の種類判別部は、DTがTより大きければ第１光学系を駆動し、DTがTより大きくなければ第２光学系を駆動する信号を出力することを特徴とする請求項４に記載の光記録媒体の種類判別装置。
【請求項６】
前記第１光学系はCD光学系であることを特徴とする請求項５に記載の光記録媒体の種類判別装置。
【請求項７】
前記第２光学系はDVD光学系であることを特徴とする請求項６に記載の光記録媒体の種類判別装置。
【発明の詳細な説明】
【０００１】
【発明の属する技術分野】
本発明は、光記録媒体の種類判別方法及び装置に係り、特に所定の光学系を用いて構造が相異なる光記録媒体の種類を判別する光記録媒体の種類判別方法及び装置に関する。
【０００２】
【従来の技術】
一般に、光記録媒体、すなわち光ディスクは、書き換えの如何によって読出し専用のROM型と、１回だけ記録可能なWORM(Write Once Read Many)型及び何回でも記録可能な書き換え可能型とに分けられる。
光ディスクは記録容量によってCD、DVD、次世代DVD等に区分されうる。CDは650MBの記録容量を、DVDは4.7GBの容量を、次世代DVDはDVDより大容量を各々有する。
【０００３】
前記光ディスクは、その記録容量によってその規格も相異なって設定されている。一般にCD及びDVDはディスクの直径が120mmと同一であるが、CDの厚さは1.2mmであり、DVD基板の厚さは0.6mmである。次世代DVDは約0.1mmの厚さを有するものと知られている。CDディスクに用いられるレーザービームは、一般に開口数0.4、波長780nmであり、DVDディスクに用いられるレーザービームは、一般に開口数0.6、波長650nmである。次世代DVDディスクには開口数0.85の青色波長帯のレーザービームを使用するものと知られている。
【０００４】
図１は、CDとDVDとの厚さを簡略に比較して示す図面である。
図１を参照すれば、CDは前述したように約1.2mmの厚さDCを有する一方、DVDは約0.6mmの厚さDDを有するので、表面３１からCD記録面３５までの距離がDVD記録面３３に比べて約２倍となるので、表面反射信号ＳSと記録面反射信号Ｓ1R、Ｓ2Rとの時間間隔DTD、DTCが図２に示されたような時間差を示す。
【０００５】
図２は、従来の光記録媒体の種類判別方法を示すグラフである。図２を参照すれば、図２のDVDのＳSとＳ1R間の検出時間DTDに比べてCDのＳSとＳ2R間の検出時間DTCがより長いために、従来にはDTCとDTD間の基準時間T0を設定して挿入された光ディスクの表面で反射された信号と記録面で反射された信号間の検出時間DTPとT0とを比較した後、DTPがT0より大きければ光ディスクをCDと判断し、DTPがT0より小さければ光ディスクをDVDと判断した。
【０００６】
図３は、既存の光記録媒体の種類判別方法及び装置を使用した場合の実験回数によるDTPを示すグラフである。
図３を参照すれば、既存の光記録媒体の種類判別方法及び装置を使用した場合には、CDとDVDのDTPは、回数によってDTPの偏差が非常に大きく現れる。CDの場合、４回目の時に80sを示したDTPが５回目の時に130sを示していて偏差が最大50sまで現れており、特に１２回目にはCDのDTP及びDVDのDTPが各々80s及び95sに近接していて光記録媒体の種類判別が容易でないことが分かる。
【０００７】
しかし、このような方法はアクチュエータの線形性が保持されない非線形駆動領域で現れる検出時間の偏差によってDTD及びDTCがT0に近接しているので光ディスクの種類を判断しにくいという問題点が生じ、特に偏向ディスクなどの特殊なディスクにおいてディスクの位置及びチルト方向によって検出時間の差が大きく生じる短所がある。
【０００８】
【発明が解決しようとする課題】
本発明が解決しようとする技術的な課題は、前記問題点を改善するためのものであって、光ピックアップアクチュエータの非線形性を補完して光記録媒体の種類を正確に判別できる光記録媒体の種類判別方法及び装置を提供することである。
【０００９】
【課題を解決するための手段】
前記技術的課題を達成するために本発明は、第1光学系でフォーカスサーチしつつ光記録媒体の表面反射信号ＳSと記録面反射信号ＳRを検出する第１段階と、前記ＳSのハイピークとローピーク間の時間DTSをカウントする第２段階と、前記ＳRのハイピークと前記ＳSのハイピーク間の時間DTRをカウントする第３段階と、前記DTSとDTRに対する次の関係式を満たすDTを演算して基準時間Tと比較する第４段階と、
【００１０】
【数３】
0003979962.tif 000002
【００１１】
前記DTがTより大きければ第１光学系を駆動し、前記DTがTより大きくなければ第２光学系を駆動する第５段階と、を含むことを特徴とする光記録媒体の種類判別方法を提供する。
ここで、前記第１光学系のDTRが前記第２光学系のDTRより大きい。
前記第１光学系はCD光学系であり、前記第２光学系はDVD光学系である。
【００１２】
また、前記技術的課題を達成するために本発明は、光記録媒体が挿入されれば第１光学系でフォーカスサーチを行いつつ表面記録反射信号ＳSと記録面反射信号ＳRを検出する信号検出部と、前記ＳSのハイピークとローピーク間の時間DTSと前記ＳRのハイピークと前記ＳSのハイピーク間の時間DTRを次の関係式によって演算してDTを算出する演算部と、
【００１３】
【数４】
0003979962.tif 000003
【００１４】
前記演算部のDTを入力されて貯蔵されていた基準値Tと比較して光記録媒体の種類を判別して前記第１光学系または第２光学系を駆動する信号を出力する光記録媒体の種類判別部と、を備えることを特徴とする光記録媒体の種類判別装置を提供する。
ここで、前記第１光学系のDTRが前記第２光学系のDTRより大きい。
前記光記録媒体の種類判別部は、DTがTより大きければ第１光学系を駆動し、DTがTより大きくなければ第２光学系を駆動する信号を出力する。
前記第１光学系はCD光学系であり、前記第２光学系はDVD光学系である。
【００１５】
本発明は、アクチュエータの線形性が足りない場合、それを補完するために相異なる線形性を有する表面反射信号Ｓカーブの傾度と、表面反射信号Ｓカーブと記録面反射信号Ｓカーブ間の時間とを用いて光記録媒体の種類を正確に区別できる光記録媒体の種類判別方法及び装置を提供する。
【００１６】
【発明の実施の形態】
以下、本発明の実施例に係る光記録媒体の種類判別方法及び装置を図面に基づいて詳細に説明する。
まず、本発明の実施例に係る光記録媒体の種類判別装置が備わる光記録/再生装置について説明する。
図４は、光記録媒体に/から情報を記録/再生可能な光記録/再生装置の一般的な構成ブロック図である。
図４を参照すれば、光ピックアップ１２は、サーボ制御部１６の制御信号により対物レンズに集光されたビームを光記録媒体２０の信号トラック上にフォーカシングし、光ディスク２０の信号記録面から反射されて再び対物レンズにより集光されたビームをフォーカス信号及びトラッキングエラー信号の検出のために光検出器(図示せず)に入射させる。
【００１７】
前記光検出器は、多数の光検出素子よりなっており、それぞれの光検出素子から得た光量に比例する振幅の電気信号をRF及びサーボエラー計算部１４に出力する。RF及びサーボエラー計算部１４は前記光検出器から出力される電気信号からデータ再生のためのRF信号、サーボ制御のためのフォーカスエラー信号FE及びトラッキングエラー信号TEを計算する。この際、前記RF信号は、再生のためにデコーダ１５に出力し、FE、TEのようなサーボエラー信号はサーボ制御部１６に出力し、データ記録のための制御信号はエンコーダ１３に出力する。
【００１８】
エンコーダ１３は、記録するデータを光ディスク２０に適したフォーマットの記録パルスに符号化した後、光ピックアップ１２を通じて光ディスク２０に記録し、デコーダ１５は前記RF信号から元のデータを復元する。
一般的な光記録/再生装置にはパソコンのようなホストを接続でき、前記ホストは光記録/再生装置のインターフェース１０を通じて記録/再生命令をマイコン１１に伝送し、エンコーダ１３には記録するデータを伝送し、デコーダ１５からは再生されたデータが伝送される。マイコン１１は、ホストの記録/再生命令によってエンコーダ１３、デコーダ１５及びサーボ制御部１６を制御する。
【００１９】
通常、インターフェース１０としてはATAPI(Advanced Technology Attached Packet Interface)を使用する。ATAPIとは、CDやDVDドライブのような光記録/再生装置とホスト間のインターフェース規格であって光記録/再生装置でデコーディングされたデータをホストに伝送するために提案されており、デコーディングされたデータをホストで処理可能なデータであるパケット状のプロトコルに変換して伝送する役割をする。
【００２０】
サーボ制御部１６は、フォーカスエラー信号FEを処理してフォーカシング制御のための駆動信号をフォーカスサーボ駆動部１７に出力し、トラッキングエラー信号TEを処理してトラッキング制御のための駆動信号をトラッキングサーボ駆動部１８に出力する。
トラッキングサーボ駆動部１８は、光ピックアップ１２内のトラッキングアクチュエータを駆動することによって光ピックアップ１２の対物レンズを半径方向に移動してビームの位置を修正し、トラックに追従させる。
【００２１】
フォーカスサーボ駆動部１７は、光ピックアップ１２内のフォーカスアクチュエータを駆動させて光ピックアップ１２を光ディスク２０に垂直方向に移動しつつ光ディスク２０の回転によって追従させるが、光ピックアップ１２の対物レンズと光ディスク２０とを一定距離だけ保たせることが重要である。ここで、フォーカスサーボ駆動部１７は、本発明の実施例に係る光記録媒体の判別装置のフォーカスサーボ制御部に置き換えられる。
光記録媒体２０が光記録/再生装置に挿入されれば、挿入された光記録媒体がCDか、DVDかを判別してそれに適したサーボ動作を行える。
【００２２】
図５は、アクチュエータに電圧を加えてフォーカス方向、すなわち光記録媒体の表面に対して垂直方向に駆動させる場合に現れる入力電圧に対する変位のグラフである。
図５を参照すれば、表面反射領域のうちＢ領域は入力電圧に対して変位が比例する線形性を保つ領域であるが、Ａ及びＣ領域は入力電圧に対して変位が比例しない非線形領域である。アクチュエータがＡ及びＣ領域のような非線形領域に位置していれば、入力電圧に対して必ずしもアクチュエータの変位が比例して増加することではないために、フォーカシングエラーが生じる。
【００２３】
したがって、非線形性を補完するアルゴリズムを用いる、図６に示された本発明の実施例に係る光記録媒体の種類判別装置と、図７に示された本発明の実施例に係る光記録媒体の種類判別方法とを用いて光記録媒体の種類を正確に判別する必要がある。図６を参照すれば、本発明の実施例に係る光記録媒体の種類判別装置は、LD(Laser Diode)が備えられたピックアップ装置１０１と、ピックアップ装置１０１から信号を入力されてフォーカスサーボを制御する信号を出力するフォーカスサーボ制御部１０９とを備える。
【００２４】
フォーカスサーボ制御部１０９は、第1レーザーダイオードLDを備える第１光学系が駆動されて出力する信号のうち光記録媒体の表面反射信号ＳSと記録面反射信号ＳRとを検出する信号検出部１０３と、前記ＳS及びＳRからＳSのハイピークとローピーク間の時間DTS及びＳRのハイピークとＳSのハイピーク間の時間DTRを数式３のような関係式で演算してDTを算出する演算部１０５と、算出された前記DTと予め貯蔵されている基準時間Tとを比較して光記録媒体の種類を判断する光記録媒体の種類判別部１０７を含む。
【００２５】
光記録媒体の種類判別部１０７は、判断された光記録媒体の種類によってフォーカスサーボ制御信号を出力して第１または第２光記録媒体を駆動する第１及び第２光学系を駆動させる。
第１光記録媒体は、第２光記録媒体より厚いのでDTRがより長く測定される。したがって、DTがTより大きければ光記録媒体の種類判別部１０７は挿入された光記録媒体を第１光記録媒体であると判断し、第１光学系を駆動する信号を送出して第１光記録媒体のうち如何なる種類であるかを判別する次の段階に進む。DTがTより大きくなければ、すなわち小さいか同じであれば光記録媒体の種類判別部１０７は、挿入された光記録媒体を第２光記録媒体であると判断し、第２光学系を駆動する信号を送出して第２レーザーダイオードをオンにする。
【００２６】
第１光学系はCD光学系、第２光学系はDVD光学系になることができ、または第１光学系はDVD光学系、第２光学系は次世代DVD光学系になることができる。各光学系はCD、DVD及び次世代DVDの駆動に適した波長を有するLDを備える。
【００２７】
図７は、本発明の実施例に係る光記録媒体の種類判別方法を示すフローチャートであり、図８は、表面反射信号ＳS及び記録面反射信号ＳRを示すグラフである。
ここで、図７において、第１光学系及び第２光学系が各々CD光学系及びDVD光学系を示しているが、これは単に一例に過ぎず、第１光学系及び第２光学系は各々DVD光学系及び次世代DVD光学系に置き換えられる。
【００２８】
図７を参照すれば、光記録媒体記録/再生装置に光記録媒体が挿入されれば、第１光学系(ここでは、CD光学系)のLDがオンになって、光記録媒体にビームを照射し(211段階)、フォーカスサーチし始める(213段階)。
光記録媒体の表面から反射されたビームから、図７に示されたように、表面反射信号ＳSを検出してＳSのハイピークとローピーク間の時間DTSをカウントする(215段階)。
【００２９】
DTSをカウントした後、所定時間置きに光記録媒体の記録面から反射されたビームから図８に示されたように、記録面反射信号ＳRを検出してＳRのハイピークとＳSのハイピーク間の時間DTRをカウントする(217段階)。ここで、SR及びSSの同じ位相を示す地点の時間差はDTRと常に同値を示すが、計算の正確性のためにSR及びSSのハイピーク間の時間をカウントする。
【００３０】
前記カウントされた時間DTR、DTSを数式３に代入した後、数式５のように、a=1、b=1/2に設定してDTを算出し、このDTを既定の基準時間Tと比較し(219段階)、Tより大きい場合にCD光学系(第１光学系)を駆動し(221段階)、Tより大きくない場合、すなわち小さいか同じ場合にDVD光学系(第２光学系)を駆動する(223段階)。
【００３１】
【数５】
0003979962.tif 000004
【００３２】
数式３で与えられた式は数式６のようにa=2、b=1にその値を適切に変化させてアクチュエータの非線形性を補完しうる。
【００３３】
【数６】
0003979962.tif 000005
【００３４】
本発明ではアクチュエータがフォーカス方向に対して傾く場合、表面反射信号ＳSのハイピークとローピーク間の時間が傾度に反比例して短縮されるので、本発明の実施例に係る光記録媒体の判別アルゴリズムでは表面反射信号のハイピークとローピーク間の時間をDT演算式の分母に導入してアクチュエータの非線形性を補完する方法を提案する。
【００３５】
図９は、本発明の実施例に係る光記録媒体の種類判別方法及び装置を使用した場合、実験回数によるDTを示すグラフである。図９において、DTは数式５を使用して得られた結果である。
図９を参照すれば、本発明の実施例に係る光記録媒体の種類判別方法及び装置を使用した場合にはDTが均一に散布されていることがわかる。CDのDTは60ないし70の範囲を大きく外れておらず、DVDは30ないし40の範囲を外れていないために、DTの基準時間Tを50程度に設定する場合に光記録媒体の種類を正確に判別できる。
【００３６】
【発明の効果】
従って、本発明の実施例に係る光記録媒体の種類判別方法及び装置は、表面反射信号のハイピークとローピーク間の時間概念を導入してアクチュエータの非線形性を補完するので、光記録媒体の種類判別の正確度を高められる。
以上、多くの事項が具体的に記載されているが、それらは発明の範囲を限定するよりは、望ましい実施例の例示として解釈されるべきである。したがって、本発明の範囲は説明された実施例によって決まるものではなく、特許請求の範囲に記載された技術的思想によって決まるべきである。
【図面の簡単な説明】
【図１】  CD及びDVDの厚さを簡略に示す断面図である。
【図２】  従来の光記録媒体の種類判別方法を示すグラフである。
【図３】  従来の光記録媒体の種類判別方法におけるCD及びDVDの検出回数に対する時間DTPを示すグラフである。
【図４】  一般的な光記録媒体の記録/再生装置の構成ブロック図である。
【図５】  一般的な光記録媒体の記録/再生装置における入力電圧によるアクチュエータのフォーカス方向移動距離を示すグラフである。
【図６】  本発明の実施例に係る光記録媒体の種類判別装置の構成ブロック図である。
【図７】  本発明の実施例に係る光記録媒体の種類判別方法を示すフローチャートである。
【図８】  本発明の実施例に係る光記録媒体の種類判別方法を示すグラフである。
【図９】  本発明の実施例に係る光記録媒体の種類判別方法におけるCD及びDVDの検出回数に対する時間DTを示すグラフである。
【符号の説明】
１０    インターフェース
１２    光ピックアップ
１３    エンコーダ
１５    デコーダ
１６    サーボ制御部
１７    フォーカスサーボ駆動部
１８    トラッキングサーボ駆動部
１９    ディスクモータ
２０    光記録媒体
【図１】
0003979962.tif 000008
【図２】
0003979962.tif 000009
【図３】
0003979962.tif 000010
【図４】
0003979962.tif 000011
【図５】
0003979962.tif 000012
【図６】
0003979962.tif 000013
【図７】
0003979962.tif 000014
【図８】
0003979962.tif 000015
【図９】
0003979962.tif 000016